(57)【特許請求の範囲】
【請求項１】
プロセッサと、前記プロセッサに通信可能に接続されたメモリとを備え、前記プロセッサは、
観察期間中のワイヤレス・キャリアに対する負荷の変化の量を決定するように構成され、前記ワイヤレス・キャリアに対する負荷の前記変化の量はセッションの量と関連し、前記観察期間中の前記ワイヤレス・キャリアに対する負荷の前記変化の量は前記ワイヤレス・キャリアに対する負荷の変化のレートを示し、
前記プロセッサはさらに、
前記観察期間中の前記ワイヤレス・キャリアに対する負荷の前記変化の量を利用して、前記ワイヤレス・キャリアに関連するアイドル・モードのワイヤレス・デバイスの量を決定し、
前記ワイヤレス・キャリアに関連するアイドル・モードのワイヤレス・デバイスの前記量に基づいて、前記ワイヤレス・キャリアに対するアイドル・モード負荷バランシングを実行するかどうかを決定するように構成されている、装置。
【請求項２】
前記観察期間中の前記ワイヤレス・キャリアに対する負荷の前記変化の量を決定するために、前記プロセッサは、
前記観察期間中の前記ワイヤレス・キャリアに対する負荷の観察された変化の量を決定し、
前記観察期間中の前記ワイヤレス・キャリアの上のセッション終了に関連する負荷補正を決定し、
前記観察期間中の前記ワイヤレス・キャリアに対する負荷の前記観察された変化の量と、前記観察期間中の前記ワイヤレス・キャリアの上のセッション終了に関連する前記負荷補正とに基づいて、前記観察期間中の前記ワイヤレス・キャリアに対する負荷の前記変化の量を決定するように
構成されている、請求項１に記載の装置。
【請求項３】
前記観察期間中の前記ワイヤレス・キャリアに対する負荷の前記観察された変化の量を決定するために、前記プロセッサは、
前記観察期間の開始時における前記ワイヤレス・キャリアに対する負荷の量を決定し、
前記観察期間の終了時における前記ワイヤレス・キャリアに対する負荷の量を決定し、
前記観察期間の前記開始時における前記ワイヤレス・キャリアに対する前記負荷の量と、前記観察期間の前記終了時における前記ワイヤレス・キャリアに対する前記負荷の量とに基づいて、前記観察期間中の前記ワイヤレス・キャリアに対する負荷の前記観察された変化の量を決定するように
構成されている、請求項２に記載の装置。
【請求項４】
前記プロセッサは、前記観察期間の開始時における前記ワイヤレス・キャリアに対する負荷の量の調整に基づいて、前記観察期間中の前記ワイヤレス・キャリアの上のセッション終了に関連する前記負荷補正を決定するように構成されている、請求項２に記載の装置。
【請求項５】
前記プロセッサは、前記観察期間の開始時における前記ワイヤレス・キャリアに対する負荷の量と、調整値との積として、前記観察期間中の前記ワイヤレス・キャリアの上のセッション終了に関連する前記負荷補正を決定するように構成されている、請求項２に記載の装置。
【請求項６】
前記プロセッサは、前記観察期間中の前記ワイヤレス・キャリアに対する負荷の前記観察された変化の量と、前記観察期間中の前記ワイヤレス・キャリアの上のセッション終了に関連する前記負荷補正とに基づいて、前記観察期間中の前記ワイヤレス・キャリアに対する負荷の前記観察された変化の量と、前記観察期間中の前記ワイヤレス・キャリアの上のセッション終了に関連する前記負荷補正とを合計することにより、前記観察期間中の前記ワイヤレス・キャリアに対する負荷の前記変化の量を決定するように構成されている、請求項２に記載の装置。
【請求項７】
前記ワイヤレス・キャリアは、第１のワイヤレス・キャリアであり、前記プロセッサは、さらに、
前記観察期間中の第２のワイヤレス・キャリアに対する負荷の変化の量を決定し、
前記観察期間中の前記第２のワイヤレス・キャリアに対する負荷の変化の量を利用して前記第２のワイヤレス・キャリアに関連するアイドル・モードのワイヤレス・デバイスの量を決定するように
構成されている、請求項１に記載の装置。
【請求項８】
コンピュータによって実行されるときに、前記コンピュータに方法を実行するようにさせる命令を記憶するコンピュータ読取り可能ストレージ媒体であって、前記方法は、
観察期間中のワイヤレス・キャリアに対する負荷の変化の量を決定するステップであって、前記ワイヤレス・キャリアに対する負荷の前記変化の量がセッションの量と関連し、前記観察期間中の前記ワイヤレス・キャリアに対する負荷の前記変化の量が前記ワイヤレス・キャリアに対する負荷の変化のレートを示す、ステップと、
前記観察期間中の前記ワイヤレス・キャリアに対する負荷の前記変化の量を利用して、前記ワイヤレス・キャリアに関連するアイドル・モードのワイヤレス・デバイスの量を決定するステップと、
前記ワイヤレス・キャリアに関連するアイドル・モードのワイヤレス・デバイスの前記量に基づいて、前記ワイヤレス・キャリアに対するアイドル・モード負荷バランシングを実行するかどうかを決定するステップ
を含んでいる、コンピュータ読取り可能ストレージ媒体。
【請求項９】
プロセッサが、観察期間中のワイヤレス・キャリアに対する負荷の変化の量を決定するステップを含み、前記ワイヤレス・キャリアに対する負荷の前記変化の量がセッションの量と関連し、前記観察期間中の前記ワイヤレス・キャリアに対する負荷の前記変化の量が前記ワイヤレス・キャリアに対する負荷の変化のレートを示し、
さらに、
前記観察期間中の前記ワイヤレス・キャリアに対する負荷の前記変化の量を利用して、前記ワイヤレス・キャリアに関連するアイドル・モードのワイヤレス・デバイスの量を決定し、
前記ワイヤレス・キャリアに関連するアイドル・モードのワイヤレス・デバイスの前記量に基づいて、前記ワイヤレス・キャリアに対するアイドル・モード負荷バランシングを実行するかどうかを決定する方法。
【発明の詳細な説明】
【技術分野】
【０００１】
本発明は、一般に、ワイヤレス通信ネットワークに関し、より詳細には、それに限定されないが、ワイヤレス通信ネットワークにおけるアイドル・モード負荷バランシング（ｉｄｌｅ  ｍｏｄｅ  ｌｏａｄ  ｂａｌａｎｃｉｎｇ）に関する。
【背景技術】
【０００２】
多数のワイヤレス・システムにおいては、ワイヤレス・デバイスは、そのワイヤレス・デバイスが、ワイヤレス・アクセス・ネットワークの内部でアイドル状態にあるアイドル・モード状態を含めて、様々な状態の間で遷移することができる。広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおいては、例えば、ユーザ機器（ＵＥ：Ｕｓｅｒ  Ｅｑｕｉｐｍｅｎｔ）は、無線リソース制御アイドル（ＲＲＣ＿ＩＤＬＥ：Ｒａｄｉｏ  Ｒｅｓｏｕｒｃｅ  Ｃｏｎｔｒｏｌ  Ｉｄｌｅ）状態と称されるアイドル・モード状態にあることもある。同様に、ロング・ターム・エボリューション（ＬＴＥ：Ｌｏｎｇ  Ｔｅｒｍ  Ｅｖｏｌｕｔｉｏｎ）システムにおいては、ＵＥは、ＬＴＥ−アイドル状態と称されるアイドル・モード状態にあることもある。ＵＥが、アイドル・モード状態にあるときには、無線アクセス・ネットワーク（ＲＡＮ：Ｒａｄｉｏ  Ａｃｃｅｓｓ  Ｎｅｔｗｏｒｋ）は、無線アクセス・ベアラ（ＲＡＢ：Ｒａｄｉｏ  Ａｃｃｅｓｓ  Ｂｅａｒｅｒ）が存在していないので、ＵＥの存在について知らない。しかしながら、ＵＥが、アイドル・モード状態にあるときに、ＵＥは、依然として、コア・ネットワークの中の信号負荷（ｓｉｇｎａｌｉｎｇ  ｌｏａｄ）（例えば、ＵＥが移動するときのロケーション・アップデートに起因）、またはページング負荷（ｐａｇｉｎｇ  ｌｏａｄ）に寄与する。さらに、ワイヤレス・システムの上のアクティブ負荷における増大が、アイドル・モードＵＥがアクティブになるときに、もたらされることもあり、これは、次には、突然のネットワーク混雑状態をもたらすこともある。
【発明の概要】
【発明が解決しようとする課題】
【０００３】
先行技術における様々な欠点は、ワイヤレス・キャリアに関連するアイドル・モード・ワイヤレス・デバイスの数を決定するための実施形態によって対処される。
【課題を解決するための手段】
【０００４】
一実施形態においては、装置は、プロセッサと、そのプロセッサに通信可能に接続されたメモリとを含んでおり、ここで、プロセッサは、観察期間中のワイヤレス・キャリアに対する負荷の変化に基づいてワイヤレス・キャリアに関連するアイドル・モード・ワイヤレス・デバイスの数を決定するように構成されている。
【０００５】
一実施形態においては、コンピュータ読取り可能ストレージ媒体は、コンピュータによって実行されるときに、コンピュータが、観察期間中のワイヤレス・キャリアに対する負荷の変化に基づいてワイヤレス・キャリアに関連するアイドル・モード・ワイヤレス・デバイスの数を決定するステップを含む方法を実行するようにさせる命令を記憶する。
【０００６】
一実施形態においては、少なくとも１つのプロセッサを使用して、観察期間中のワイヤレス・キャリアに対する負荷の変化に基づいてワイヤレス・キャリアに関連するアイドル・モード・ワイヤレス・デバイスの数を決定するステップを含んでいる方法が、提供される。
【０００７】
本明細書における教示は、添付図面と併せて以下の詳細な説明を考慮することにより、簡単に理解される可能性がある。
【図面の簡単な説明】
【０００８】
【図１】例示のワイヤレス・システムの高レベル・ブロック図である。
【図２】１組のワイヤレス・キャリアについてのアイドル・モード負荷バランシングを実行するための方法の一実施形態を示す図である。
【図３】ワイヤレス・キャリアに関連するアイドル・モードＵＥの数を決定するための方法の一実施形態を示す図である。
【図４】観察期間中のワイヤレス・キャリアに対する負荷の変化を決定するための方法の一実施形態を示す図である。
【図５】本明細書において説明される機能を実行する際における使用のために適したコンピュータの高レベル・ブロック図である。
【発明を実施するための形態】
【０００９】
理解を容易にするために、可能であれば、同一の参照番号を使用して、図面に共通である同一の要素を指定している。
【００１０】
一般に、アイドル・モード負荷バランシング能力が、本明細書において示され、また説明されているが、様々な他の能力もまた、本明細書に提示されていることもある。
【００１１】
一般に、アイドル・モード負荷バランシングは、ワイヤレス・キャリアを通してのアイドル・モード・ワイヤレス・デバイスのバランシングを可能にする。これは、アイドル・モード・ワイヤレス・デバイスが、アクティブになるときに、与えられた任意のワイヤレス・キャリアの上の混雑状態の可能性が、低減される（または、少なくともいくつかの場合において、さらには最小限にされる）ことを保証することができる。
【００１２】
少なくともいくつかの実施形態においては、ワイヤレス・キャリアの与えられた組についてのアイドル・モード負荷バランシングを実行するために、ワイヤレス・キャリアに対する相対的負荷レベルが、決定され、それぞれのワイヤレス・キャリアの上のアイドル・モード・ワイヤレス・デバイスの相対数（ｒｅｌａｔｉｖｅ  ｎｕｍｂｅｒｓ）が、ワイヤレス・キャリアに対する相対的負荷レベルに基づいて推論され、またアイドル・モード負荷バランシングが、それぞれのワイヤレス・キャリアの上のアイドル・モード・ワイヤレス・デバイスの相対数に基づいて実行される。
【００１３】
少なくともいくつかの実施形態においては、ワイヤレス・キャリアの与えられた組についてのアイドル・モード負荷バランシングを実行するために、ワイヤレス・キャリアの組の中のそれぞれのワイヤレス・キャリアの上のアイドル・モード・ワイヤレス・デバイスの相対数を示す情報が、決定され、またアイドル・モード負荷バランシングが、それぞれのワイヤレス・キャリアの上のアイドル・モード・ワイヤレス・デバイスの相対数に基づいて実行される。アイドル・モード負荷バランシング能力は、ワイヤレス・キャリアの組についてのアイドル・モード負荷バランシングを実行する際における使用のために、ワイヤレス・キャリアの組の中のワイヤレス・キャリアの上のアイドル・モード・ワイヤレス・デバイスの相対数を示す情報を決定するための実施形態を含んでいる。
【００１４】
少なくともいくつかの実施形態においては、ワイヤレス・キャリアの組の他のワイヤレス・キャリア（単数または複数）に対する１つまたは複数のワイヤレス・キャリアの上には不釣り合いな数のアイドル・モード・ワイヤレス・デバイスが存在するときには、アイドル・モード負荷バランシングが、１つまたは複数のワイヤレス・キャリアについて呼び出される可能性があるので、ワイヤレス・キャリアの与えられた組について、アイドル・モード負荷バランシング能力は、ワイヤレス・キャリアの上のアイドル・モード・ワイヤレス・デバイスの絶対数を決定する必要性を除去する。
【００１５】
広帯域符号分割多元接続（ＷＣＤＭＡ）システムの内部のアイドル・モード負荷バランシング能力の使用に関して主として示され、また説明されるが、アイドル・モード負荷バランシング能力は、アイドル・モード状態（または類似した状態）が、ワイヤレス・ユーザ・デバイスのためにサポートされる、様々な他のタイプのワイヤレス・システム（例えば、他のタイプの第３世代（３Ｇ）ワイヤレス・システム、第４世代（４Ｇ）ワイヤレス・システム（例えば、ロング・ターム・エボリューション（ＬＴＥ））など、ならびにそれらの様々な組合せ）の内部で利用され得ることに注意すべきである。
【００１６】
図１は、例示のワイヤレス・システムの高レベル・ブロック図を示すものである。
【００１７】
ワイヤレス・システム１００は、コア・ネットワーク１１０と、複数の無線ネットワーク制御装置（ＲＮＣ：Ｒａｄｉｏ  Ｎｅｔｗｏｒｋ  Ｃｏｎｔｒｏｌｌｅｒｓ）１２０と、複数の基地局（ＢＳ：Ｂａｓｅ  Ｓｔａｔｉｏｎ）１３０と、複数のユーザ機器（ＵＥ）１４０と、複数のアイドル・モード負荷バランサー（ＩＭＬＢ：Ｉｄｌｅ  Ｍｏｄｅ  Ｌｏａｄ  Ｂａｌａｎｃｅｒｓ）１５０とを含む。
【００１８】
コア・ネットワーク１１０は、ＲＮＣ  １２０をサポートし、ＲＮＣ  １２０からの通信と、ＲＮＣ  １２０に対する通信とを容易にしている。図１に示されるように、複数のＲＮＣ  １２０は、ＲＮＣ  １２０１〜１２０Ｒを含んでおり、これらのＲＮＣのおのおのは、コア・ネットワーク１１０に通信可能に接続される。
【００１９】
ＲＮＣ  １２０１〜１２０Ｒは、おのおの、１つまたは複数のＢＳ  １３０をサポートする（ＲＮＣは、一般的に複数のＢＳをサポートすることが理解されることになるが）。図１に示されるように、ＲＮＣ  １２０１は、ＢＳ  １３０１および１３０２をサポートし、これらのＢＳのおのおのは、ＲＮＣ  １２０１に通信可能に接続される。さらに図１に示されるように、ＲＮＣ  １２０Ｒは、ＢＳ  １３０Ｍをサポートし、このＢＳ  １３０Ｍは、ＲＮＣ  １２０Ｒに通信可能に接続される。残りのＢＳ  １３０の、ＲＮＣ  １２０に対する接続は、明確にする目的のために省略される。
【００２０】
ＢＳ  １３０１〜１３０Ｍは、おのおの、複数のワイヤレス・キャリア１３２１〜１３２Ｎ（一括して、ワイヤレス・キャリア１３２）をサポートし、ここでは各ワイヤレス・キャリア１３２は、それぞれ複数のＵＥ  １４０をサポートすることができる。例えば、ＢＳ  １３０１は、複数のワイヤレス・キャリア１３２１〜１３２Ｎを含んでおり、これらのワイヤレス・キャリアのおのおのは、それぞれ複数のＵＥ  １４０をサポートする。他のＢＳ  １３０２〜１３０Ｍは、同様に構成されている（ＢＳ  １３０によってサポートされるワイヤレス・キャリア１３２の数は、それぞれのＢＳ  １３０を通して変化する可能性があることが理解されることになるが）。図１において「ワイヤレス・キャリア１３２」とラベル付けされるボックスは、ワイヤレス・キャリア１３２をサポートする、それぞれのＢＳ  １３０の能力を表すことができる。ＵＥ  １４０のセッションをサポートするワイヤレス・キャリア１３２の使用は、当業者によって理解されるであろう。ワイヤレス・キャリア１３２は、新しいセッションが開始され、また既存のセッションが終了されるときに、時間とともに変化する、関連する負荷を有するように理解される。ワイヤレス・キャリア１３２に対する負荷は、ワイヤレス・キャリア１３２の上のアクティブ・セッションの数に等しいように、またはアクティブ・セッションの数を示すように理解される（すなわち、ワイヤレス・キャリア１３２について言及するときの、本明細書における用語「負荷」の使用は、それ以外の方法で示されていない限り、ワイヤレス・キャリア１３２の上のアクティブ・セッションの数、またはワイヤレス・キャリア１３２の上のアクティブ・セッションの数を示す情報のことを意味する）。
【００２１】
ＵＥ  １４０は、おのおの、ＢＳ  １３０の少なくとも１つについてのワイヤレス・キャリア１３２の少なくとも１つを経由してワイヤレスにＢＳ  １３０の少なくとも１つにアクセスするように構成されている。ＵＥ  １４０は、任意の適切なタイプのワイヤレス・ユーザ・デバイス（例えば、ラップトップ・コンピュータと、タブレット・コンピュータと、スマートフォンと、セルラー方式電話などと）を含むことができる。ＵＥ  １４０は、とりわけ、アイドル・モード状態を含めて、様々な状態で動作するように構成されている。一般に、ＵＥ  １４０は、ＵＥ  １４０がＲＡＮの上でアクティブではない（また、実際に、ＲＡＮが、その存在について知らない）アイドル・モード状態と、ＵＥ  １４０が、ＲＡＮの上でアクティブである１つまたは複数のアクティブ状態とに入ることができる。例えば、システム１００が、ＷＣＤＭＡシステムであるときに、ＵＥ  １４０は、ＷＣＤＭＡシステムにおいて標準化される無線リソース制御アイドル（ＲＲＣ＿ＩＤＬＥ）状態に入るように構成されている。ＵＥ  １４０が、アイドル・モード状態にあるときに、ＲＡＮは、ＵＥ  １４０の存在について知らないが、ＵＥ  １４０は、依然として、コア・ネットワーク１１０の中の信号負荷（例えば、ＵＥ  １４０が、あちこち移動するときのロケーション・アップデートに起因した）、またはページング負荷などを経由して、システム１００の上の負荷に寄与することに、注意すべきである。さらに、アイドル・モード状態にあるＵＥ  １４０はまた、ＵＥ  １４０がアクティブになるときに、システム１００の上のアクティブ負荷に寄与することができることに注意すべきである。アイドル・モード状態にあるＵＥ  １４０は、本明細書において、アイドル・モードＵＥ  １４０と称されることに注意すべきである。
【００２２】
システム１００は、ＢＳ  １３０のワイヤレス・キャリア１３２を通してアイドル・モードＵＥ  １４０をバランスさせるためのアイドル・モード負荷バランシングを実行するように構成されている。図１に示されるように、システム１００の内部のアイドル・モード負荷バランシングは、ＩＭＬＢ  １５０を使用して適切な任意の細分性（ｇｒａｎｕｌａｒｉｔｙ）で実行されることもある。例えば、システム１００は、ＢＳ  １３０１〜１３０Ｍのワイヤレス・キャリア１３２１１〜１３２ＭＮの適切な任意の組合せを通してアイドル・モードＵＥ  １４０をバランスさせるためのアイドル・モード負荷バランシングを実行するように構成されていることもある。
【００２３】
一実施形態においては、ＢＳ  １３０１〜１３０Ｍは、それぞれ複数のＩＭＬＢ  １５０Ｂ１〜１５０ＢＭ（一括して、ＩＭＬＢ  １５０Ｂ）を含んでおり、ここではＢＳ  １３０のＩＭＬＢ  １５０Ｂは、ＢＳ  １３０によってサポートされるワイヤレス・キャリア１３２のうちのいくつかまたはすべてについてアイドル・モード負荷バランシングを実行するように構成されている。
【００２４】
一実施形態においては、ＲＮＣ  １２０１〜１２０Ｒは、それぞれ複数のＩＭＬＢ  １５０Ｒ１〜１５０ＲＲ（一括して、ＩＭＬＢ  １５０Ｒ）を含んでおり、ここではＲＮＣ  １２０のＩＭＬＢ  １５０Ｒは、ＲＮＣ  １２０によってサポートされるＢＳ  １３０のうちのどれかのワイヤレス・キャリア１３２のうちのどれかについての（例えば、ＢＳ  １３０の内部のワイヤレス・キャリア１３２のグループ、複数のＢＳ  １３０のワイヤレス・キャリア１３２のグループなど、ならびにそれらの様々な組合せについての）アイドル・モード負荷バランシングを実行するように構成されている。
【００２５】
一実施形態においては、コア・ネットワーク１１０は、ＩＭＬＢ  １５０Ｃを含んでおり、このＩＭＬＢ  １５０Ｃは、コア・ネットワーク１１０によってサービスされるＢＳ  １３０のうちのどれかのワイヤレス・キャリア１３２のうちのどれかについての（例えば、ＢＳ  １３０の内部のワイヤレス・キャリア１３２のグループ、単一のＲＮＣ  １２０のＢＳ  １３０を通してのワイヤレス・キャリア１３２のグループ、複数のＲＮＣ  １２０のＢＳ  １３０を通してのワイヤレス・キャリア１３２のグループなど、ならびにそれらの様々な組合せについての）アイドル・モード負荷バランシングを実行するように構成されている。一実施形態においては、ＩＭＬＢ  １５０は、異なる無線アクセス技術（ＲＡＴ：ｒａｄｉｏ  ａｃｃｅｓｓ  ｔｅｃｈｎｏｌｏｇｉｅｓ）に関連するキャリアを通してアイドル・モード負荷バランシングをサポートするように構成されていることもある。
【００２６】
ＩＭＬＢ  １５０Ｂ、１５０Ｒ、および１５０Ｃは、本明細書においては、一括してＩＭＬＢ  １５０と称されることもある。
【００２７】
そのような実施形態の様々な組合せ（例えば、通信階層の適切な任意のレベル（単数または複数）において展開されるＩＭＬＢ  １５０の適切な任意の数を使用した）を使用して、適切な任意の細分性においてアイドル・モード負荷バランシングをサポートすることができる。
【００２８】
ＩＭＬＢ  １５０は、おのおの、ワイヤレス・キャリア１３２を通してアイドル・モードＵＥ  １４０をバランスさせるために、ＵＥ  １４０をサポートするワイヤレス・キャリア１３２の組についてアイドル・モード負荷バランシングを実行するように構成されている。一実施形態においては、ＩＭＬＢ  １５０は、ワイヤレス・キャリア１３２のアイドル・モードＵＥ  １４０の相対数を決定すること、およびワイヤレス・キャリア１３２のアイドル・モードＵＥ  １４０の相対数に基づいてワイヤレス・キャリア１３２の組についてアイドル・モード負荷バランシングを実行することにより、ワイヤレス・キャリア１３２の組についてアイドル・モード負荷バランシングを実行するように構成されている。
【００２９】
一実施形態においては、ＩＭＬＢ  １５０は、アイドル・モード負荷バランシングが、観察期間中のワイヤレス・キャリア１３２に対する負荷の変化に基づいて実行されるべきである、ワイヤレス・キャリア１３２のアイドル・モードＵＥ  １４０の相対数を決定するように構成されている。ワイヤレス・キャリア１３２に対する負荷の変化は、ワイヤレス・キャリア１３２に対する負荷の増大、またはワイヤレス・キャリア１３２に対する負荷の低減とすることができることに注意すべきである。一実施形態においては、ワイヤレス・キャリア１３２の与えられた組について、ワイヤレス・キャリア１３２に対するアイドル・モードＵＥ  １４０の相対数は、観察期間中のそれぞれのワイヤレス・キャリア１３２に対する負荷の変化のレートから推論される可能性があり、ここではそれぞれのワイヤレス・キャリア１３２に対する負荷の変化のレートは、観察期間中のそれぞれのワイヤレス・キャリア１３２に対する負荷の変化に基づいて決定される可能性がある。
【００３０】
観察期間中のワイヤレス・キャリア１３２に対する負荷の変化のレートは、観察期間中のワイヤレス・キャリア１３２の上のセッション開始の数を示すことができる。観察期間中のワイヤレス・キャリア１３２の上のセッション開始の数は、ワイヤレス・キャリア１３２の上のアイドル・モードＵＥ  １４０の数を示す（例えば、数に比例する）可能性がある（例えば、観察期間中のワイヤレス・キャリア１３２の上のセッション開始の数が高くなればなるほど、観察期間中のワイヤレス・キャリア１３２の上のアイドル・モードＵＥ  １４０のより高い数の可能性が、高くなる）。したがって、観察期間中のワイヤレス・キャリア１３２の上のセッション開始の数は、観察期間中のワイヤレス・キャリア１３２に対する負荷の変化のレートを示しており、また同様に、観察期間中のワイヤレス・キャリア１３２の上のアイドル・モードＵＥの数は、観察期間中のワイヤレス・キャリア１３２に対する負荷の変化のレートに基づいて推定されることもある。
【００３１】
しかしながら、観察期間中のワイヤレス・キャリア１３２に対する負荷の変化のレートは、観察期間中のワイヤレス・キャリア１３２の上のセッション開始の数に比例するが、必ずしも、観察期間中のワイヤレス・キャリア１３２の上のセッション開始の数に等しいとは限らない。これは、セッションのうちのいくつかが、観察期間中に終了している可能性があることに起因している。結果として、観察期間中のワイヤレス・キャリア１３２に対する負荷の変化のレートは、観察期間中のワイヤレス・キャリア１３２の上のセッション開始の数よりも大きい可能性があり、ここでは観察期間中にワイヤレス・キャリア１３２の上の少なくとも１つのセッション終了が存在している。この場合には、観察期間中のワイヤレス・キャリア１３２に対する負荷の変化のレートは、観察期間中のワイヤレス・キャリア１３２に対する負荷の変化のレートから差し引かれる観察期間中のセッション終了に起因した、ワイヤレス・キャリア１３２に対する負荷の変化のレートにおける推定された低減に対応する量だけ増大される。言い換えれば、ワイヤレス・キャリア１３２の上のセッション終了によって寄与される、ワイヤレス・キャリア１３２に対する負荷は、セッション終了に起因したワイヤレス・キャリア１３２に対する観察された負荷のどのような低減にも対抗するために、ワイヤレス・キャリア１３２に対する観察された負荷へと追加して戻される（すなわち、ワイヤレス・キャリア１３２に対する観察された負荷は、これらの終了されたセッションが、ワイヤレス・キャリア１３２に対する負荷の増大に寄与していることになるので、観察期間中にセッション終了が存在していない場合には、ワイヤレス・キャリア１３２の上で観察されていることになる負荷の増大の量に対応する量だけ、増大される）。一実施形態においては、ワイヤレス・キャリア１３２の上のセッション終了の数は、ワイヤレス・キャリア１３２に対する全体のアクティブ負荷の固定された一部分であるように仮定され、またそれゆえに、ワイヤレス・キャリア１３２に対するアクティブ負荷が、決定される可能性があるので、セッション終了の数は、計算される可能性がある。
【００３２】
一実施形態においては、負荷レベルと、ワイヤレス・キャリア１３２に対する負荷の変化のレートとが、ワイヤレス・キャリア１３２の組の中の他のワイヤレス・キャリア（単数または複数）１３２と比べて比較的に高いときに、ワイヤレス・キャリア１３２の与えられた組について、アイドル・モード負荷バランシングは、与えられたワイヤレス・キャリア１３２について呼び出される。
【００３３】
ＩＭＬＢ  １５０は、図２〜４を参照して示され、また説明されるように、ワイヤレス・キャリア１３２のアイドル・モードＵＥ  １４０の相対数に基づいてワイヤレス・キャリア１３２の組についてアイドル・モード負荷バランシングを実行するように構成されていることもある。
【００３４】
ＩＭＬＢ  １５０は、アイドル・モード負荷バランシングをサポートして、かつ／またはアイドル・モード負荷バランシングに関連して様々な他の機能を実行するように構成されていることもある。
【００３５】
本明細書においては、特定の数および構成のコア・ネットワーク１１０と、ＲＮＣ  １２０と、ＢＳ  １３０と、ワイヤレス・キャリア１３２と、ＵＥ  １４０と、ＩＭＬＢ  １５０とに関して主として示され、また説明されているが、他の任意の適切な数および／または構成のコア・ネットワーク１１０、ＲＮＣ  １２０、ＢＳ  １３０、ワイヤレス・キャリア１３２、ＵＥ  １４０、および／またはＩＭＬＢ  １５０が、使用され得ることに注意すべきである。
【００３６】
図２は、ワイヤレス・キャリアの組についてアイドル・モード負荷バランシングを実行するための方法の一実施形態を示すものである。直列に実行されているように主として示され、また説明されるが、方法２００のステップのうちの少なくとも一部分は、同時期に、かつ／または図２に提示される順序と異なる順序で実行されることもある。
【００３７】
ステップ２１０において、方法２００は、開始される。
【００３８】
ステップ２２０において、ワイヤレス・キャリアの組の、ワイヤレス・キャリアに関連するアイドル・モードＵＥの数が、決定される。与えられたワイヤレス・キャリアに関連するアイドル・モードＵＥの数は、観察期間中のワイヤレス・キャリアに対する負荷の変化に基づいて決定されることもある。与えられたワイヤレス・キャリアに関連するアイドル・モードＵＥの数は、図３および４を参照して示され、また説明されるように、決定されることもある。
【００３９】
ステップ２３０において、ワイヤレス・キャリアの組の中のワイヤレス・キャリアに関連するアイドル・モードＵＥの相対数は、ワイヤレス・キャリアの組の中のワイヤレス・キャリアに関連するアイドル・モードＵＥの数に基づいて決定される。
【００４０】
アイドル・モードＵＥの相対数は、適切な任意のやり方で、ワイヤレス・キャリアに関連するアイドル・モードＵＥの数に基づいて、決定されることもある。一実施形態においては、例えば、アイドル・モードＵＥの相対数は、ワイヤレス・キャリアの組のうちの個別のワイヤレス・キャリアに関連するアイドル・モードＵＥの数から、アイドル・モードＵＥの最低数を選択すること、およびアイドル・モードＵＥの相対数を決定するための参考としてアイドル・モードＵＥのこの最低数を使用することにより（例えば、他のワイヤレス・キャリアについてのアイドル・モードＵＥの他の数のうちのおのおのとの任意のワイヤレス・キャリアについてのアイドル・モードＵＥの最低数の比較を用いて）、決定されることもある。同様に、一実施形態においては、例えば、アイドル・モードＵＥの相対数は、ワイヤレス・キャリアの組のうちの個別のワイヤレス・キャリアに関連するアイドル・モードＵＥの相対数から、関連するアイドル・モードＵＥの最高数を選択すること、およびアイドル・モードＵＥの相対数を決定するための参考としてワイヤレス・キャリアに関連するアイドル・モードＵＥのこの最高数を使用することにより（例えば、ワイヤレス・キャリアの組のうちの他のワイヤレス・キャリアについてのアイドル・モードＵＥの他の数のうちのおのおのとのアイドル・モードＵＥの最高数の比較を用いて）、決定されることもある。
【００４１】
ワイヤレス・キャリアの組の中のワイヤレス・キャリアに関連するアイドル・モードＵＥの相対数は、適切な任意の情報（例えば、ワイヤレス・キャリアのおのおのについて推定されるアイドル・モードＵＥの数を示す値、ワイヤレス・キャリアのおのおのについて推定されるアイドル・モードＵＥの数の比率を示す値など）を使用して、表されることもある。
【００４２】
ワイヤレス・キャリアの組の中のワイヤレス・キャリアに関連するアイドル・モードＵＥの相対数の決定は、例を参考としてよりよく理解されることもある。例えば、アイドル・モード負荷バランシングが、３つのワイヤレス・キャリアを含むワイヤレス・キャリアの組について実行されている場合について考えて欲しい。この例では、第１のワイヤレス・キャリアが、１０個のアイドル・モード・ワイヤレス・デバイスを有するものと推定され、第２のワイヤレス・キャリアが、１２個のアイドル・モード・ワイヤレス・デバイスを有するものと推定され、また第３のワイヤレス・キャリアが、１５個のアイドル・モード・ワイヤレス・デバイスを有するものと推定されるという決定が、行われることを仮定する。この例においては、ワイヤレス・キャリアに関連するアイドル・モードＵＥの相対数を示す情報は、第２のワイヤレス・キャリアが、第１のワイヤレス・キャリアと比べて２０％多くのアイドル・モードＵＥを有していること、および第３のワイヤレス・キャリアは、第１のワイヤレス・キャリアと比べて５０％多くのアイドル・モードＵＥを有していることを示した。
【００４３】
ステップ２４０において、ワイヤレス・キャリアの組の中のワイヤレス・キャリアに関連するアイドル・モードＵＥの相対数に基づいて、ワイヤレス・キャリアの組の中のワイヤレス・キャリアについて負荷バランシングを実行すべきか否かについての決定が行われる。負荷バランシングが、実行されるべきではない場合、方法２００は、ステップ２６０へと進み、ここで方法２００は、終了する。負荷バランシングが、実行されるべきである場合には、方法２００は、ステップ２５０へと進む。
【００４４】
ステップ２５０においては、負荷バランシングが、ワイヤレス・キャリアの組の中のワイヤレス・キャリアに関連するアイドル・モードＵＥの相対数に基づいて、ワイヤレス・キャリアの組の中のワイヤレス・キャリアについて実行される。ワイヤレス・キャリアの上のアイドル・モードＵＥの相対数に基づいて、ワイヤレス・キャリアの組の中のワイヤレス・キャリアを通してアイドル・モードＵＥをバランスさせるためのアイドル・モード負荷バランシングは、適切な任意のやり方で実行されることもある。例えば、ワイヤレス・キャリアの組の中のワイヤレス・キャリアを通してアイドル・モードＵＥをバランスさせるためのアイドル・モード負荷バランシングは、１つまたは複数のセル再選択パラメータの修正を経由して、バイアス・レベルの修正を経由して、実行されて、ワイヤレス・キャリアの組の中のワイヤレス・キャリアを通してＵＥ（アイドル・モードＵＥを含む）の再分布を引き起こすことができる。ステップ２５０から、方法２００は、ステップ２６０へと進み、ここで方法２００は、終了する。
【００４５】
ステップ２６０において、方法２００は、終了する。
【００４６】
（明確にする目的のために）終了するように主として示され、また説明されるが、方法２００は、必要に応じて、かつ／または望ましい限り何度も（例えば、定期的に、１つまたは複数の条件に応じてなど、また同様にその様々な組合せで）反復され得ることが、理解されるであろう。
【００４７】
図３は、ワイヤレス・キャリアに関連するアイドル・モードＵＥの数を決定するための方法の一実施形態を示すものである。図３の方法２２０は、図２の方法２００の間に考慮されるワイヤレス・キャリアのおのおのについて実行され得ることに注意すべきである。直列に実行されているように主として示され、また説明されるが、方法２２０のステップは、同時期に、かつ／または図３に提示される順序と異なる順序で実行され得ることに注意すべきである。
【００４８】
ステップ３１０において、方法２２０が、開始される。
【００４９】
ステップ３２０において、観察期間中のワイヤレス・キャリアに対する負荷の変化が、決定される。ワイヤレス・キャリアに対する負荷の変化は、観察期間中のワイヤレス・キャリアの上のセッション開始と、適用可能なときには、観察期間中のワイヤレス・キャリアの上のセッション終了との両方についての主な原因となる、ワイヤレス・キャリアに対する負荷の変化とすることができる。観察期間は、適切な任意の時間の長さ（例えば、１分間、２分間、１０分間、または他の適切な任意の時間の長さ）とすることができる。観察期間中のワイヤレス・キャリアに対する負荷の変化は、図４を参照して示され、また説明されるように決定されることもある。
【００５０】
ステップ３３０において、ワイヤレス・キャリアに関連するアイドル・モードＵＥの数は、観察期間中のワイヤレス・キャリアに対する負荷の変化に基づいて決定される。ワイヤレス・キャリアに関連するアイドル・モードＵＥの数は、適切な任意のやり方で（例えば、観察期間中のワイヤレス・キャリアに対する負荷の変化の値に基づいた、ワイヤレス端末に対する負荷の変化のレートと、ワイヤレス・キャリアの上のアイドル・モードＵＥの数との間の関係を示す履歴情報に基づいたなどの比例値として）観察期間中のワイヤレス・キャリアに対する負荷の変化に基づいて決定されることもある。
【００５１】
ステップ３４０において、方法２２０は、終了する。
【００５２】
図４は、観察期間中のワイヤレス・キャリアに対する負荷の変化を決定するための方法の一実施形態を示すものである。図４の方法３２０は、図２の方法２００の間に考慮されるワイヤレス・キャリアのおのおのについて実行され得ることに注意すべきである。直列に実行されているように本明細書において主として示され、また説明されるが、方法３２０のステップは、同時期に、かつ／または図４に提示される順序と異なる順序で実行され得ることに注意すべきである。
【００５３】
ステップ４１０において、方法３２０は、開始される。
【００５４】
ステップ４２０において、観察期間中のワイヤレス・キャリアに対する負荷の観察された変化が、決定される。観察期間中のワイヤレス・キャリアに対する負荷の観察された変化は、観察期間の終了時の観察された負荷（ＬＯＡＤＴ２）と、観察期間の開始時における負荷（ＬＯＡＤＴ１）との間の差として決定される。ボックス４２５において示されるように、異なる時刻における負荷の値は、ワイヤレス・キャリアに対する負荷の監視に基づいて決定されることもある。ワイヤレス・キャリアに対する負荷の監視は、適切な任意のやり方で（ＲＩＭメッセージングを用いて交換される標準に基づいた負荷情報について監視すること、および／または他の適切な任意の技法を使用することを経由して）実行されることもある。
【００５５】
ステップ４３０において、観察期間中のワイヤレス・キャリアの上のセッション終了によって寄与される負荷が、決定される。セッション終了によって寄与される負荷は、［観察期間の開始時における観察された負荷（ＬＯＡＤＴ１）］によって乗算されるＫとして決定されることもあり、ここでＫは、調整値である。ボックス４３５において示されるように、Ｋの値は、いくつかのやり方（例えば、測定される、推定されるなど）で、決定されることもある。
【００５６】
一実施形態においては、Ｋの値は、観察期間中のワイヤレス・キャリアの上のセッション終了の数を決定すること、観察期間の開始時におけるワイヤレス・キャリアの上のアクティブ・セッションの総数を決定すること、および観察期間の開始時におけるワイヤレス・キャリアの上のアクティブ・セッションの総数により、観察期間中のワイヤレス・キャリアの上のセッション終了の数を割り算することによって測定されることもある。
【００５７】
一実施形態においては、Ｋの値は、履歴情報に基づいて推定されることもある。少なくともいくつかの場合には、与えられた地理的領域について、ワイヤレス・キャリアに対する全体的な負荷のパーセンテージとしての、ワイヤレス・キャリアの上のセッション終了の割合が、ほとんどの（すべてでない場合には）キャリアを通して実質的に一定であることを仮定することが、妥当である。一実施形態においては、Ｋの値は、（ａ）セッション終了の履歴統計データに基づいて、観察期間中に期待されるセッション終了の推定された数を決定すること、（ｂ）観察期間の開始時にワイヤレス・キャリアの上のアクティブ・セッションの総数を決定すること、および（ｃ）観察期間の開始時におけるワイヤレス・キャリアの上のアクティブ・セッションの総数により、観察期間中に期待されるセッション終了の推定された数を割り算することによって決定されることもある。一実施形態においては、観察期間についてのＫの値は、Ｋの履歴値に基づいて決定されることもある。
【００５８】
ステップ４４０において、観察期間中のワイヤレス・キャリアに対する負荷の変化が、決定される。観察期間中のワイヤレス・キャリアに対する負荷の変化は、負荷の観察された変化（ステップ４２０からの）と、セッション終了によって寄与される負荷（ステップ４３０からの）との合計として決定されることもある。ワイヤレス・キャリアに対する負荷の変化は、観察期間について決定されるので、観察期間中の負荷の変化はまた、ワイヤレス・キャリアに対する負荷の変化のレートであるものと考えられ得ることに注意すべきである。
【００５９】
ステップ４５０において、方法３２０は、終了する。
【００６０】
図５は、本明細書にいて説明される機能を実行する際における使用のために適しているコンピュータの高レベル・ブロック図を示すものである。
【００６１】
コンピュータ５００は、プロセッサ５０２（例えば、中央演算処理装置（ＣＰＵ：ｃｅｎｔｒａｌ  ｐｒｏｃｅｓｓｉｎｇ  ｕｎｉｔ）および／または他の適切なプロセッサ（単数または複数））と、メモリ５０４（例えば、ランダム・アクセス・メモリ（ＲＡＭ：ｒａｎｄｏｍ  ａｃｃｅｓｓ  ｍｅｍｏｒｙ）、リード・オンリー・メモリ（ＲＯＭ：ｒｅａｄ  ｏｎｌｙ  ｍｅｍｏｒｙ）など）とを含む。
【００６２】
コンピュータ５００はまた、協調モジュール／プロセス５０５を含むこともできる。協調プロセス５０５は、メモリ５０４の中にロードされ、またプロセッサ５０２によって実行されて、本明細書において考察されるような機能を実施することができ、またそれゆえに、協調プロセス５０５（関連するデータ構造を含む）は、コンピュータ読取り可能ストレージ媒体の上に、例えば、ＲＡＭメモリ、磁気的または光学的なドライブまたはディスケットなどの上に記憶される可能性がある。
【００６３】
コンピュータ５００はまた、１つまたは複数の入出力デバイス５０６（例えば、ユーザ入力デバイス（キーボード、キーパッド、マウスなど）、ユーザ出力デバイス（ディスプレイ、スピーカなど）、入力ポート、出力ポート、レシーバ、トランスミッタ、１つまたは複数のストレージ・デバイス（例えば、テープ・ドライブ、フロッピー・ドライブ、ハード・ディスク・ドライブ、コンパクト・ディスク・ドライブなど）など、ならびにそれらの様々な組合せ）を含むことができる。
【００６４】
図５に示されるコンピュータ５００が、本明細書において説明される機能要素、および／または本明細書において説明される機能要素の一部分を実施するために適した一般的アーキテクチャおよび機能を提供することが、理解されるであろう。例えば、コンピュータ５００は、コア・ネットワーク１１０の１つまたは複数の要素、コア・ネットワーク１１０の要素の一部分、ＲＮＣ  １２０、ＲＮＣ  １２０の一部分、ＢＳ  １３０、ＢＳ  １３０の一部分、ＵＥ  １４０、ＵＥ  １４０の一部分、ＩＭＬＢ  １５０、ＩＭＬＢ  １５０の一部分などを実施するために適した一般的アーキテクチャおよび機能を提供している。
【００６５】
本明細書において示され、また説明される機能は、ソフトウェアの形で（例えば、専用コンピュータなどを実施するために汎用コンピュータの上で（例えば、１つまたは複数のプロセッサによる実行を経由して）実行するために、１つまたは複数のプロセッサの上のソフトウェアの実装形態を用いて）実施されることもあり、かつ／またはハードウェアの形で（例えば、汎用コンピュータ、１つまたは複数の特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔｓ）、および／または他の任意のハードウェア同等物を使用して）実施されることもあることが、理解されるであろう。
【００６６】
ソフトウェア方法として本明細書において考察されるステップのうちのいくつかは、例えば、様々な方法ステップを実行するためにプロセッサと協調する回路として、ハードウェアの内部で実施され得ることが、企図される。本明細書において説明される機能／要素の一部分は、コンピュータ・プログラム製品として実施されることもあり、そこでは、コンピュータ命令は、コンピュータによって処理されるときに、本明細書において説明される方法および／または技法が、呼び出され、またはそれ以外の方法で提供されるように、コンピュータのオペレーションを適応させる。発明の方法を呼び出すための命令は、固定された媒体または着脱可能媒体に記憶され、ブロードキャスト媒体または他の信号保持媒体の中でデータ・ストリームを経由して送信され、かつ／または命令に従って動作するコンピューティング・デバイスの内部のメモリ内に記憶されることもある。
【００６７】
様々な実施形態の態様は、特許請求の範囲の中で指定される。様々な実施形態のこれらの態様および他の態様は、以下の番号付けされた条項の中で指定される。
【００６８】
１．  プロセッサと、前記プロセッサに通信可能に接続されたメモリとを備えており、前記プロセッサは、
ワイヤレス・キャリアに関連するアイドル・モード・ワイヤレス・デバイスの数を、観察期間中の前記ワイヤレス・キャリアに対する負荷の変化に基づいて決定するように
構成されている、装置。
【００６９】
２．  前記プロセッサは、前記観察期間中の前記ワイヤレス・キャリアに対する負荷の前記変化を決定するように構成されている、条項１に記載の装置。
【００７０】
３．  前記観察期間中の前記ワイヤレス・キャリアに対する負荷の前記変化を決定するために、前記プロセッサは、
前記観察期間中の前記ワイヤレス・キャリアに対する負荷の観察された変化を決定し、
前記観察期間中の前記ワイヤレス・キャリアの上のセッション終了に関連する負荷補正を決定し、
前記ワイヤレス・キャリアに対する負荷の前記観察された変化と、前記ワイヤレス・キャリアの上のセッション終了に関連する前記負荷補正とに基づいて、負荷の前記変化を決定するように
構成されている、条項２に記載の装置。
【００７１】
４．  前記観察期間中の前記ワイヤレス・キャリアに対する負荷の前記観察された変化を決定するために、前記プロセッサは、
前記観察期間の開始時における前記ワイヤレス・キャリアに対する負荷を決定し、
前記観察期間の終了時における前記ワイヤレス・キャリアに対する負荷を決定し、
前記観察期間の前記開始時における前記ワイヤレス・キャリアに対する前記負荷と、前記観察期間の前記終了時における前記ワイヤレス・キャリアに対する前記負荷とに基づいて、前記ワイヤレス・キャリアに対する負荷の前記観察された変化を決定するように
構成されている、条項３に記載の装置。
【００７２】
５．  前記プロセッサは、前記観察期間の開始時における前記ワイヤレス・キャリアに対する負荷の調整に基づいて、前記観察期間中の前記ワイヤレス・キャリアの上のセッション終了に関連する前記負荷補正を決定するように構成されている、条項３に記載の装置。
【００７３】
６．  前記プロセッサは、前記観察期間の開始時における前記ワイヤレス・キャリアに対する負荷と、調整値との積として、前記観察期間中の前記ワイヤレス・キャリアの上のセッション終了に関連する前記負荷補正を決定するように構成されている、条項３に記載の装置。
【００７４】
７．  前記調整値は、測定され、または推定される、条項６に記載の装置。
【００７５】
８．  前記調整値が、測定されるときに、前記調整値は、前記観察期間中のセッション終了の数と、前記観察期間の開始時におけるアクティブなセッションの数とに基づいて決定される、条項７に記載の装置。
【００７６】
９．  前記調整値は、前記観察期間の前記開始時におけるアクティブなセッションの前記数により、前記観察期間中の前記ワイヤレス・キャリアの上のセッション終了の前記数を割り算することによって決定される、条項８に記載の装置。
【００７７】
１０．  前記調整値が推定されるとき、前記調整値は、前記ワイヤレス・キャリアに関連する履歴情報に基づいて決定される、条項７に記載の装置。
【００７８】
１１．  前記プロセッサは、前記ワイヤレス・キャリアに対する負荷の前記観察された変化と、前記負荷補正とに基づいて、前記ワイヤレス・キャリアに対する負荷の前記観察された変化と、前記負荷補正とを合計することにより、前記ワイヤレス・キャリアに対する負荷の前記変化を決定するように構成されている、条項３に記載の装置。
【００７９】
１２．  前記ワイヤレス・キャリアは、第１のワイヤレス・キャリアであり、前記プロセッサは、さらに、
第２のワイヤレス・キャリアに関連するアイドル・モード・ワイヤレス・デバイスの数を前記観察期間中の前記第２のワイヤレス・キャリアに対する負荷の変化に基づいて決定するように
構成されている、条項１に記載の装置。
【００８０】
１３．  前記プロセッサは、
前記第１のワイヤレス・キャリアと、前記第２のワイヤレス・キャリアとについて、前記第１のワイヤレス・キャリアと、前記第２のワイヤレス・キャリアとにそれぞれ関連するアイドル・モード・ワイヤレス・デバイスの相対数を示す情報を決定するように
構成されている、条項１２に記載の装置。
【００８１】
１４．  前記プロセッサは、
前記第１のワイヤレス・キャリアと、前記第２のワイヤレス・キャリアとにそれぞれ関連するアイドル・モード・ワイヤレス・デバイスの前記相対数を示す前記情報に基づいて、前記第１のワイヤレス・キャリアと、前記第２のワイヤレス・キャリアとについてアイドル・モード負荷バランシングを実行すべきかどうかを決定するように
構成されている、条項１３に記載の装置。
【００８２】
１５．  前記プロセッサは、
前記第１のワイヤレス・キャリアと、前記第２のワイヤレス・キャリアとにそれぞれ関連するアイドル・モード・ワイヤレス・デバイスの前記相対数を示す前記値に基づいて前記第１のワイヤレス・キャリアと、前記第２のワイヤレス・キャリアとについてのアイドル・モード負荷バランシングを開始するように
構成されている、条項１３に記載の装置。
【００８３】
１６．  前記第１のワイヤレス・キャリアと、前記第２のワイヤレス・キャリアとについてのアイドル・モード負荷バランシングを開始するために、前記プロセッサは、
前記第１のワイヤレス・キャリア、または前記第２のワイヤレス・キャリアのうちの少なくとも一方に関連する１つまたは複数のバイアス・レベルの修正を開始するように
構成されている、条項１５に記載の装置。
【００８４】
１７．  前記第１のワイヤレス・キャリアと、前記第２のワイヤレス・キャリアとは、１つまたは複数のワイヤレス・アクセス・ノードに関連づけられる、条項１２に記載の装置。
【００８５】
１８．  前記第１のワイヤレス・キャリアと、前記第２のワイヤレス・キャリアとは、１つまたは複数のワイヤレス・ネットワーク制御装置に関連づけられる、条項１２に記載の装置。
【００８６】
１９．  前記第１のワイヤレス・キャリアと、前記第２のワイヤレス・キャリアとは、１つまたは複数の無線アクセス技術（ＲＡＴ：ｒａｄｉｏ  ａｃｃｅｓｓ  ｔｅｃｈｎｏｌｏｇｉｅｓ）に関連づけられる、条項１２に記載の装置。
【００８７】
２０．  コンピュータによって実行されるときに、前記コンピュータに方法を実行するようにさせる命令を記憶するコンピュータ読取り可能ストレージ媒体であって、前記方法は、
ワイヤレス・キャリアに関連するアイドル・モード・ワイヤレス・デバイスの数を、観察期間中の前記ワイヤレス・キャリアに対する負荷の変化に基づいて決定するステップ
を含んでいる、コンピュータ読取り可能ストレージ媒体。
【００８８】
２１．  少なくとも１つのプロセッサを使用して、ワイヤレス・キャリアに関連するアイドル・モード・ワイヤレス・デバイスの数を、観察期間中の前記ワイヤレス・キャリアに対する負荷の変化に基づいて決定するステップ
を含んでいる方法。
【００８９】
本発明の教示を組み込んでいる様々な実施形態は、本明細書において詳細に示され、また説明されているが、当業者なら、これらの教示を依然として組み込んでいる多数の他の変形された実施形態を簡単に工夫することができる。
【図１】
0006301320.tif 000002
【図２】
0006301320.tif 000003
【図３】
0006301320.tif 000004
【図４】
0006301320.tif 000005
【図５】
0006301320.tif 000006